(57)【要約】【課題】簡単な作業で短時間に設置することができるようにしたパネル構造物を提供する。【解決手段】基礎２０は、設置場所の地面の起伏に応じて長さが個々に調節可能な複数の束部材２１を有している。よって、基礎工事の際に地面の掘削などは不要であり、作業時間が短縮される。基礎２０の上に床枠３０が配設され、床枠３０の上に、室４０が形成されている。室４０は、壁パネル６１を組み合わせた壁６０を有している。壁６０は、テラス窓６３Ｂ，出入り口枠６３Ｄなどの建具を備えている。テラス窓６３Ｂは、壁パネル６１にテラス窓６３Ｂが造り込まれたテラス窓パネル６１Ｂとして構成され、出入り口枠６３Ｄは、壁パネル６１に出入り口枠６３Ｄが造り込まれた貫通枠パネル６１Ｄとして構成されている。出入り口枠６３Ｄには開閉可能な遮蔽部材６４が取り付けられている。【選択図】      図１
2004156221.tif 000002
【特許請求の範囲】
【請求項１】
設置場所の地面の起伏に応じて長さが個々に調節可能な複数の束部材を有する基礎と、
この基礎の上に配設される床枠と、
この床枠の上に配設され、複数の壁パネルを組み合わせた壁、複数の床パネルを組み合わせた床および複数の屋根パネルを組み合わせた屋根を有する室と、
この室と母屋とを接続する通路と
を備えたことを特徴とするパネル構造物。
【請求項２】
前記複数の束部材の長さは、前記室の床と前記母屋の床とが同一レベルの高さになるように調節される
ことを特徴とする請求項１記載のパネル構造物。
【請求項３】
前記壁パネル、前記床パネルおよび前記屋根パネルの１枚あたりの重量は、６０ｋｇ以下である
ことを特徴とする請求項１または請求項２記載のパネル構造物。
【請求項４】
前記壁は、断面矩形の間柱と、この間柱を前記壁の表面に露出しないように収容する空腔部とを有する
ことを特徴とする請求項１ないし請求項３のいずれか１項に記載のパネル構造物。
【請求項５】
前記空腔部は、前記壁パネルの前記床枠に係止された端部に直交する端面に設けられた半空腔部と、隣り合う前記壁パネルの半空腔部とが組み合わされることによって形成されている
ことを特徴とする請求項４記載のパネル構造物。
【請求項６】
前記壁は、建具を備え、前記建具は、前記壁パネルに前記建具が造り込まれた建具パネルとして構成されている
ことを特徴とする請求項１ないし請求項５のいずれか１項に記載のパネル構造物。
【請求項７】
前記建具パネルは、前記壁パネルに出入り口枠が造り込まれた貫通枠パネルである
ことを特徴とする請求項６記載のパネル構造物。
【請求項８】
前記貫通枠パネルの前記出入り口枠に、開閉可能な遮蔽部材が取り付けられている
ことを特徴とする請求項７記載のパネル構造物。
【請求項９】
前記通路は、前記貫通枠パネルを介して前記室に接続されている
ことを特徴とする請求項７または請求項８記載のパネル構造物。
【請求項１０】
前記貫通枠パネルを介して、ユニットバスを有する浴室が、前記室に接続されている
ことを特徴とする請求項７ないし請求項９のいずれか１項に記載のパネル構造物。
【請求項１１】
前記浴室は、前記ユニットバスを載置する防水床と、この防水床の一部に形成されると共に前記ユニットバスから引き出された排水ホースの先端部を挿入する桟状部材とを備えた
ことを特徴とする請求項１０記載のパネル構造物。
【請求項１２】
前記貫通枠パネルを介して、洗面台を有する洗面室が、前記室に接続されている
ことを特徴とする請求項７ないし請求項１１のいずれか１項に記載のパネル構造物。
【請求項１３】
前記洗面室は、洗面室床と、この洗面室床の上に配設された便器と、前記洗面室床の下に配設されると共に前記便器からの汚物を収容する汚物槽とを備えた
ことを特徴とする請求項１２記載のパネル構造物。
【請求項１４】
前記壁は、前記室に配設される設備が取り付けられる取付部を有し、前記取付部は、前記壁パネルに前記取付部が形成された設備対応パネルとして構成されている
ことを特徴とする請求項１ないし請求項１３のいずれか１項に記載のパネル構造物。
【請求項１５】
前記設備対応パネルは、前記壁パネルに空気調整設備の室内機と室外機とを接続するパイプを貫通させる貫通孔が形成された空気調整設備対応パネルであり、前記貫通孔は、前記パイプを前記壁パネルを貫通するように嵌め込み可能な切り欠き部と、前記パイプが嵌め込まれた切り欠き部を封止する封止片とを有する
ことを特徴とする請求項１４記載のパネル構造物。
【請求項１６】
前記設備対応パネルは、前記壁パネルに室内洗面台への給水、給湯および排水を行うエルボ管が形成された室内洗面台対応パネルである
ことを特徴とする請求項１４記載のパネル構造物。
【請求項１７】
前記壁パネルは、
室内側表面に凹みが生じるのを防止する補強部と、
室内側表面に手摺を固定するための部品固定穴と、
この部品固定穴を被覆する被覆部材と
を備えたことを特徴とする請求項１ないし請求項１６のいずれか１項に記載のパネル構造物。
【請求項１８】
前記床枠は、複数の梁状部材と、この複数の梁状部材を連結する連結部材とを組み合わせた構成を有し、前記梁状部材および前記連結部材は、前記床パネルの端部を係止すると共に前記壁パネルの端部を係止するガイド板を有する
ことを特徴とする請求項１ないし請求項１７のいずれか１項に記載のパネル構造物。
【請求項１９】
前記通路は、前記母屋の掃き出し窓に接続されている
ことを特徴とする請求項１ないし請求項１８のいずれか１項に記載のパネル構造物。
【請求項２０】
前記通路は、前記室を保存したまま除去可能である
ことを特徴とする請求項１ないし請求項１９のいずれか１項に記載のパネル構造物。
【発明の詳細な説明】
【０００１】
【発明の属する技術分野】
本発明は、母屋に付属して設置されるパネル構造物に関する。
【０００２】
【従来の技術】
従来の住宅は、一般に間取りの変更が困難であり、改造または改修には多大な費用を要する。例えば、単に家族が増加したり、新たな室が必要になったというような場合には、居室を増設するだけでよいこともあるが、自宅を高齢者が住みやすい環境にしようとすると、居室だけでなく洗面、トイレ、バスルームなどの改造も必要となるので、経済的な負担が大きくなる。改造の必要性が一時的なものと見込まれる場合には、その負担の大きさから改造が見送られる場合もある。また、借家の場合には、契約上の理由でそもそも改造できないケースもある。
【０００３】
このようなことから、従来では、経済的負担を抑えつつ家族の状況に合わせて居住空間を改造するため、所謂ユニットハウスを応用した小規模な建物を、母屋に隣接して設置する場合が多い。例えば、在宅介護用のものとしては、ユニットバス、トイレ、寝台、リフト等の種々の設備を備え、床を水洗可能なものとしたユニットハウスが提案されている（例えば、特許文献１参照。）。
【０００４】
また、ユニットハウスを上部建築構造と下部建築構造とに分けて、現場で両者を組立てるようにしたものが報告されている（例えば、特許文献２参照。）。
【０００５】
さらに、ユニットハウスのパネルを、木質の積層合板からなる表裏一対の表面板の間に桟材と断熱材とを挟み込んだ三層構造とすることによって、外観および居住性を普通建物に近づける工夫も行われている（例えば、特許文献３参照。）。パネルは、床面パネル、正面壁パネル、背面壁パネル、一対の妻面壁パネルおよび小屋パネルの６枚構成となっており、これらを工場等で組立てて現場に運搬設置し、あるいは半完成状態または完成状態のパネルを現場で組立てるようにしている。
【０００６】
【特許文献１】
特開平８−２９６３３４号公報
【特許文献２】
特開２０００−２２０３１０号公報
【特許文献３】
特開２００１−２９５４８４号公報
【０００７】
【発明が解決しようとする課題】
しかしながら、上記のようなユニットハウスは、間取りが固定されてしまっている場合が多く、広すぎる、あるいは狭すぎるなど、必ずしもすべての家庭の希望または状況に対応できるとは限らない。また、介護用ユニットハウスの場合には、トイレ、バス、リフトなどの介護用設備が予め組み込まれているので、症状が軽い場合には不要な設備のための負担が大きく、設備の構成または配置などを症状の進行などに合わせて変更することが難しかった。
【０００８】
さらに、ユニットハウスを設置する際には、工場で箱状に完成したものをクレーンで吊上げて庭先へ降ろすようにしている。そのため、庭先が道路に面していなかったり、道路が狭くてクレーンが入れなかったり、あるいは上空にクレーン作業の際の障害になる物があったりした場合には、設置が困難であるという問題がある。半完成品またはパネルを現場に搬入して組立てるようにしたとしても、半完成品またはパネルのサイズによっては、その重量が優に数１００ｋｇを超え、クレーンなしで組立てるのは危険である。したがって、完成品の場合と同様の問題は解消されていない。
【０００９】
さらに、従来のユニットハウスでは、母屋と直接通じる通路がなく、母屋から分断された「離れ」のようになってしまいがちであった。そのため、居住者に孤独感、疎外感など精神的な悪影響が生じるおそれがある。
【００１０】
本発明はかかる問題点に鑑みてなされたもので、その目的は、簡単な作業で短時間に設置することができるパネル構造物を提供することにある。
【００１１】
【課題を解決するための手段】
本発明によるパネル構造物は、設置場所の地面の起伏に応じて長さが個々に調節可能な複数の束部材を有する基礎と、この基礎の上に配設される床枠と、この床枠の上に配設され、複数の壁パネルを組み合わせた壁、複数の床パネルを組み合わせた床および複数の屋根パネルを組み合わせた屋根を有する室と、この室と母屋とを接続する通路とを備えたものである。
【００１２】
本発明によるパネル構造物では、複数の束部材の長さが、設置場所の地面の起伏に応じて個々に調節可能であるので、設置場所の地面に起伏があっても束部材の各々の長さを調節することによってレベルを合わせて基礎を形成することができる。よって、基礎工事の際に地面の掘削などは不要であり、作業時間が著しく短縮される。
【００１３】
複数の束部材の長さは、室の床と母屋の床とが同一レベルの高さになるように調節されることが好ましい。室を介護目的で使用する場合に室と母屋とを平坦な廊下である通路で接続し、バリアフリー設計の室を容易に実現することができるからである。
【００１４】
さらに、壁パネル、床パネルおよび屋根パネルの１枚あたりの重量は、６０ｋｇ以下であることが好ましい。これにより、パネルを一人ないし二人の作業者で持ち運ぶことが可能となるので、クレーンを使用しなくても安全に素早く組立てることができる。
【００１５】
また、壁は、断面矩形の間柱と、この間柱を壁の表面に露出しないように収容する空腔部とを有することが好ましい。間柱が空腔部に収容されて壁の表面に露出しないので、壁の凹凸がなくなり、平坦性が高まる。空腔部は、例えば、壁パネルの床枠に係止された端部に直交する端面に設けられた半空腔部と、隣り合う壁パネルの半空腔部とが組み合わされることによって形成されているようにすることが可能である。
【００１６】
壁は、建具を備え、建具は、壁パネルに建具が造り込まれた建具パネルとして構成されていることが好ましい。予め建具パネルを工場製作し、壁を形成するのと同時に建具も取り付けることができ、現場での作業時間が短縮されるからである。建具パネルは、例えば、壁パネルに出入り口枠が造り込まれた貫通枠パネルとすることができる。この貫通枠パネルの出入り口枠には、開閉可能な遮蔽部材が取り付けられているようにすることが好ましい。また、通路は、貫通枠パネルを介して室に接続されているようにすることができる。
【００１７】
さらに、貫通枠パネルを介して、ユニットバスを有する浴室が、室に接続されているようにすることが可能である。浴室は、ユニットバスを載置する防水床と、この防水床の一部に形成されると共にユニットバスから引き出された排水ホースの先端部を挿入する桟状部材とを備えるようにすることが好ましい。ユニットバスの浴槽にお湯を入れる前にユニットバスを防水床の上で移動し、排水ホースを桟状部材に差し込んでユニットバスからの排水を家庭用雑排水の桝に流すことができる。したがって、ユニットバスの位置を浴室内で自由に変更することができ、例えば介護者が浴室内で余裕をもって動けるようにユニットバスを浴室の隅に寄せて配置することなども可能である。
【００１８】
また、貫通枠パネルを介して、洗面台を有する洗面室が室に接続されているようにすることも可能である。洗面室は、洗面室床と、この洗面室床の上に配設された便器と、洗面室床の下に配設されると共に便器からの汚物を収容する汚物槽とを備えることが好ましい。トイレ用の下水工事が不要となり、作業時間を短縮することができるからである。
【００１９】
さらにまた、壁は、室に配設される設備が取り付けられる取付部を有し、取付部は、壁パネルに取付部が形成された設備対応パネルとして構成されていることが好ましい。設備対応パネルを予め工場製作し、現場では設備対応パネルの取付部を用いて設備を取り付けるだけでよいので、設備の取付作業が簡単になる。
【００２０】
設備対応パネルは、例えば、壁パネルに空気調整設備の室内機と室外機とを接続するパイプを貫通させる貫通孔が形成された空気調整設備対応パネルであり、貫通孔は、パイプを壁パネルを貫通するように嵌め込み可能な切り欠き部と、パイプが嵌め込まれた切り欠き部を封止する封止片とを有するようにすることができる。空気調整設備対応パネルを予め工場製作し、現場ではパイプを切り欠き部に嵌め込み、封止片で封止するだけでよいので、空気調整設備の設置工事が簡単になる。
【００２１】
また、設備対応パネルは、例えば、壁パネルに室内洗面台への給水、給湯および排水を行うエルボ管が設けられた室内洗面台対応パネルとすることも可能である。室内洗面台対応パネルに室内洗面台を取り付け、便器については市販のポータブルトイレを用いるようにすれば、設置場所が狭いため室に洗面室を接続する場所的余裕がない場合などに便利である。
【００２２】
壁パネルは、室内側表面に凹みが生じるのを防止する補強部と、室内側表面に手摺を固定するための部品固定穴と、この部品固定穴を被覆する被覆部材とを備えることが好ましい。補強部により、例えば、介護目的で室を使用する場合に、車椅子などを壁に接触させることなどによって壁パネルの室内側の表面に凹みが生じることが防止される。また、部品固定穴に必要に応じて手摺を固定することができる。使用されていない部品固定穴は被覆部材により被覆されているので、部品固定穴に誤って指などを入れて怪我をするおそれがなく、安全である。
【００２３】
床枠は、複数の梁状部材と、この複数の梁状部材を連結する連結部材とを組み合わせた構成を有し、梁状部材および連結部材は、床パネルの端部を係止すると共に壁パネルの端部を係止するガイド板を有することが好ましい。梁状部材および連結部材を組み合わせて、床枠の全体寸法および室の間取りを、設置場所に応じて決定することができる。また、ガイド板に壁パネルの端部を係止させて並べ、床パネルの端部をガイド板に係止させて敷き詰めることによって、壁および床を効率よく形成することができる。
【００２４】
通路は、母屋の掃き出し窓に接続されていることが好ましい。母屋の壁に開口部を設けるなどの工事は一切不要であり、作業が簡単になる。また、通路は、室を保存したまま除去可能であるようにすることが可能である。
【００２５】
【発明の実施の形態】
以下、本発明の実施の形態について図面を参照して詳細に説明する。
【００２６】
［第１の実施の形態］
図１は、本発明の第１の実施の形態に係るパネル構造物の外観の一例を概略的に表し、図２は、図１に示したパネル構造物の平面構造を表している。このパネル構造物１０は、例えば、高齢者の介護目的で用いられるものであり、基礎２０と、基礎２０の上に配設される床枠３０と、この床枠３０の上に配設される室４０と、この室４０と母屋ＭＢとを接続する通路５０とを備えている。
【００２７】
基礎２０は、複数の束部材２１を有している。束部材２１は、支持部材２２により連結されている。
【００２８】
室４０は、複数の壁パネル６１を組み合わせた壁６０と、複数の床パネル７１を組み合わせた床７０と、複数の屋根パネル８１を組み合わせた屋根８０とを有している。壁パネル６１、床パネル７１および屋根パネル８１の１枚あたりの重量は、６０ｋｇ以下であることが好ましい。これにより、壁パネル６１、床パネル７１および屋根パネル８１を一人ないし二人の作業者で持ち運ぶことが可能となるので、クレーンを使用しなくても安全に素早く組立てることができる。
【００２９】
壁６０は、壁パネル６１を間柱６２で接合した構成を有している。壁パネル６１は、例えば厚さ５０ｍｍのウレタン注入パネルの両面にカラー鋼鈑を貼り合わせた構成を有している。間柱６２による壁パネル６１の接合の詳細については後述する。室４０の四隅には、Ｌ字形のコーナーパネル６１Ａが配設されている。このコーナーパネル６１Ａは、形状以外は壁パネル６１と同様の構成を有しており、間柱６２で壁パネル６１に接合されている。したがって、以下の説明では、特に断らない限り「壁パネル６１」という表現によって、壁パネル６１およびコーナーパネル６１Ａの両方をさすものとする。
【００３０】
また、壁６０は、テラス窓６３Ｂ，窓サッシ６３Ｃ，出入り口枠６３Ｄなどの建具を備えている。テラス窓６３Ｂは、壁パネル６１にテラス窓６３Ｂを造り込んだテラス窓パネル６１Ｂとして構成されている。窓サッシ６３Ｃは、壁パネル６１に窓サッシ６３Ｃを造り込んだ窓サッシパネル６１Ｃとして構成されている。また、出入り口枠６３Ｄは、壁パネル６１に出入り口枠６３Ｄを造り込んだ貫通枠パネル６１Ｄとして構成されている。これにより、テラス窓パネル６１Ｂ，窓サッシパネル６１Ｃ，貫通枠パネル６１Ｄを予め工場製作し、壁７０を形成するのと同時にテラス窓６３Ｂ，窓サッシ６３Ｃ，出入り口枠６３Ｄなどの建具も取り付けることができ、現場での作業時間を著しく短縮することができる。なお、テラス窓パネル６１Ｂおよび窓サッシパネル６１Ｃは、持ち運びの際には窓ガラスを外すことによって１枚あたりの重量を６０ｋｇ以下とし、組立て後に窓ガラスを入れるようにすることが可能である。
【００３１】
壁６０におけるテラス窓６３Ｂ，窓サッシ６３Ｃおよび出入り口枠６３Ｄの数および配置は、パネル構造物１０の設置場所に応じて決定することができ、図１および図２に示した例には限られない。
【００３２】
貫通枠パネル６１Ｄの出入り口枠６３Ｄには、開閉可能な遮蔽部材６４が設けられている。遮蔽部材６４としては、例えば伸縮により容易に開閉可能なアコーディオンカーテンなどを用いることが可能である。このアコーディオンカーテンは、通常よりも大きい握りの取手を有することが好ましい。介護を要する高齢者などが容易に開閉できるようにするためである。
【００３３】
床７０は、床パネル７１を敷き詰めたものである。床パネル７１は、例えば厚さ５０ｍｍのウレタン注入パネルの両面にカラー鋼鈑を貼り合わせた構成を有し、コーナーパネル６１Ａに対応する寸法のものと、通常の壁パネル６１に対応する寸法のものとがある。なお、床パネル７１の表面は、図示しないが、例えばフローリング、ノンスリップシート、畳などの仕上げ材で被覆されていることが好ましい。床パネル７１と仕上げ材との二重構造とすることによって断熱性を高めることができるからである。
【００３４】
屋根８０は、屋根パネル８１と小屋組み８２とを有している。屋根パネル８１は、天井板８１Ａと、屋根天板８１Ｂとを有している。天井板８１Ａは、例えば厚さ５０ｍｍのウレタン注入パネルの両面にカラー鋼鈑を貼り合わせた構成を有し、室４０の天井を兼ねている。屋根天板８１Ｂは、例えば厚さ３ｍｍのアルミ樹脂化粧パネルにより構成されている。天井板８１Ａと屋根天板８１Ｂとの間には、小屋組み８２が配設されることによって軒裏８３が形成されている。この軒裏８３は、屋根８０における通気を確保し、室４０内の室温が異常に上昇することを防止するものである。なお、屋根天板８１Ｂは、図１に示したような切妻屋根に限られず、例えば片流れ屋根などの他の形状とすることも可能である。
【００３５】
通路５０は、貫通枠パネル６１Ｄを介して室４０に接続されている。通路５０は、平坦な廊下、スロープ、階段など、その構成は特に限定されない。また、通路５０は、母屋ＭＢの掃き出し窓ＭＷに接続されていることが好ましい。母屋ＭＢの壁に開口部を設けるなどの工事は一切不要であり、作業が簡単になるからである。
【００３６】
図３は、図１に示したパネル構造物１０の基礎２０を表すものである。基礎２０は、例えば９本の束部材２１を５本の支持部材２２で略正方形に連結した基礎ユニット２３を、二つ並べた構成を有している。なお、基礎ユニット２３は、図４に示したように単独で基礎２０を構成することも可能である。また、図５に示したように、長さの異なる支持部材２２Ａを用いることによって、図３および図４に示した正方形の基礎ユニット２３を拡張した拡張基礎ユニット２４を構成することも可能である。
【００３７】
図６（Ａ）は束部材２１の構成を表し、図６（Ｂ）は束部材２１を分解して表す図である。束部材２１は、設置場所の地面の起伏に応じて長さが個々に調節可能となっている。束部材２１は、大まかな長さを調整するための上側さや部材２１Ａおよび地面側さや部材２１Ｂと、微調整のためのフレキシブルレベラー３１Ｃとを備えている。上側さや部材２１Ａおよび地面側さや部材２１Ｂは、例えば上側さや部材２１Ａに地面側さや部材２１Ｂを差し込んで固定することができるようになっている。フレキシブルレベラー３１Ｃは、地面側さや部材に固定されている。なお、フレキシブルレベラ―３１Ｃとしては、例えば市販品を用いることができる。
【００３８】
束部材２１の長さは、例えば、室４０の床７０と母屋ＭＢの床とが同一レベルの高さになるように調節されることが好ましい。室４０を介護目的で使用する場合に室４０と母屋ＭＢとを平坦な廊下である通路５０で接続し、バリアフリー設計の室４０を容易に実現することができるからである。
【００３９】
図７は、図１に示したパネル構造物１０の床枠３０を表すものであり、図８は、図７に示した床枠３０を基礎２０の上に配設した状態を表している。床枠３０は、複数の梁状部材３１と、この梁状部材３１を連結する連結部材３２とを組み合わせた構成を有している。また、この床枠３０の例では、図３に示した基礎２０の二つの基礎ユニット２３に対応して、略正方形の床枠ユニット３３を二つ並べた構成を有している。
【００４０】
梁状部材３１は、パネル構造物１０の床梁を構成するものである。連結部材３２は、梁状部材３１をＬ字形に連結するコーナー連結部材３２Ａと、梁状部材３１をπ字形に連結するユニット連結部材３２Ｂとを有している。コーナー連結部材３２Ａは、床枠３０の四隅に用いられるものであり、ユニット連結部材３２Ｂは、床枠ユニット３３の連結または拡張に用いられる。床枠ユニット３３の中央部には、根太３４が設けられている。また、床枠ユニット３３の対角線上に配置された連結部材３２の間には、ブレース３５が設けられている。
【００４１】
基礎ユニット２３と同様に、床枠ユニット３３も、図９に示したように単独で床枠３０を構成することが可能である。図９に示した床枠３０は、図４に示した単独の基礎ユニット２３を有する基礎２０に対応するものである。また、図１０に示したように長さの異なる梁状部材３１Ａを用いることによって、図７ないし図９に示した略正方形の床枠ユニット３３を拡張した拡張床枠ユニット３６を構成することも可能である。図１０に示した拡張床枠ユニット３６は、図５に示したような拡張基礎ユニット２４を有する基礎２０に対応するものである。なお、拡張床枠ユニット３６では、長さの異なる梁状部材３１Ａに対応して、長さの異なる根太３４Ａおよびブレース３５Ａが用いられている。
【００４２】
図１１は、梁状部材３１を室４０の外側から見た構成を表している。また、図１２は、図１１の矢印ＸＩＩ方向から見た構成を表している。なお、長さの異なる梁状部材３１Ａは、長さが異なることを除いては梁状部材３１と同様の構成を有している。
【００４３】
梁状部材３１は、床パネル７１の端面を係止すると共に壁パネル７１の端部を係止すると共に壁パネル６１の端部を係止するガイド板３７を有している。また、梁状部材３１には、根太３４を取り付けるための根太取付部３１Ｂが設けられている。
【００４４】
図１３は、コーナー連結部材３２Ａの平面構成を表し、図１４はユニット連結部材３２Ｂの平面構成を表している。コーナー連結部材３２Ａおよびユニット連結部材３２Ｂは、梁状部材３１と同様のガイド板３７を有している。また、コーナー連結部材３２Ａおよびユニット連結部材３２Ｂは、梁状部材３１との連結のための受け部３８が設けられている。
【００４５】
図１５は、壁パネル６１を室４０の内側から見た構成を表している。壁パネル６１は、室４０内側の表面に凹みが生じるのを防止する補強部６５と、壁パネル６１の室４０内側の表面に手摺を固定するための部品固定穴６６と、この部品固定穴６６を被覆する被覆部材６７とを備えている。補強部６５は、例えばベニヤ板により構成されており、壁パネル６１の床７０に近い部分に裏打ちされている。補強部６５により、例えば、介護目的で室４０を使用する場合に車椅子などを壁６０に接触させることなどによって壁パネル６１の表面に凹みが生じるのを防止するものである。部品固定穴６６は、必要に応じて手摺などの設備を固定するためのものである。被覆部材６７は、例えば粘着テープにより構成されている。被覆部材６７は、使用されていない部品固定穴６６を被覆するものであり、この被覆部材６７により、部品固定穴６６に誤って指などを入れて怪我をするおそれがなく、安全である。
【００４６】
図１６は、間柱６２の構成を、一部を切り欠いて表したものであり、図１６（Ａ）は正面図、図１６（Ｂ）は側面図である。間柱６２は、天井板８１Ａを取り付けるための上部取付金具６２Ａと、床枠３０に間柱６２を取り付けるための下部取付金具６２Ｂとを有している。
【００４７】
図１７は、壁６０の断面構造を表している。また、図１８は、図１７のＸＶＩＩＩ−ＸＶＩＩＩ線に沿った断面構造を表している。壁６０は、断面矩形の間柱６２と、この間柱６２を壁６０の表面に露出しないように収容する空腔部６８とを備えている。間柱６２は空腔部６８に収容されて壁６０の表面に露出しないので、壁６０に凹凸がなくなり、平坦性が高まる。
【００４８】
間柱６２は、下部取付金具６２Ｂによって床枠３０に固定されている。壁パネル６１は、端部６９Ａが床枠３０のガイド板３７に係止されているに止まり、間柱６２によって間接的に床枠３０に固定されている。ただし、コーナーパネル６１Ａは、補強および位置決めのため、床枠３０に直接固定されていることが好ましい。なお、床枠３０のガイド板３７の反対側には、床パネル７１の端部が係止され、床パネル７１は、仕上げ材７２で被覆されていいる。
【００４９】
空腔部６８は、例えば、壁パネル６１の幅方向両側の端面６９Ｂ、すなわち床枠３０に係止された端部６９Ａに直交する端面６９Ｂに設けられた半空腔部６８Ａと、隣り合う壁パネル６１の半空腔部６８Ａとが組み合わされることによって形成されたものである。半空腔部６８Ａは、例えば、端面６９Ｂに取り付けられたコの字形のサイドフレーム６９Ｃによって構成されている。なお、サイドフレーム６９Ｃは、壁パネル６１の両面に貼り合わせられた図示しないカラー鋼鈑によって、壁パネル６１の表面に露出しないように被覆されている。
【００５０】
図１９は、天井板８１Ａおよびその取付状態を表す斜視図である。天井板８１Ａの室４０外側には、小屋組み８２を取り付けるための小屋組ステー８１Ｃが設けられている。天井板８１Ａは、壁６０の頂部に設けられた壁頭上カバー８４を用いて取り付けられている。
【００５１】
図２０は、壁頭上カバー８４の構成を表し、図２１は、壁頭上カバー８４による天井板８１Ａの取付状態を表している。壁頭上カバー８４は、壁パネル６１が取り付けられる壁パネル固定部８４Ａと、天井板８１Ａが取り付けられる天井板固定部８４Ｂとを備えている。天井板固定部８４Ｂには、雨樋を兼ねた鼻隠し８５を取り付けるための鼻隠し取付ステー８４Ｃが設けられている。壁パネル固定部８４Ａは、壁パネル６１の頂部に被せられ、間柱６２の上部取付金具６２Ａに固定されている。天井板固定部８４Ｂには、天井板８１Ａが固定され、鼻隠し８５が矢印Ａおよび矢印Ｂで示すように被せられる。なお、壁頭上カバー８４の長さは、現場で壁頭上カバー８４を切断したり継ぎ足したりしなくて済むように、壁パネル６１の寸法に対応して設定されていることが好ましい。
【００５２】
このようなパネル構造物１０は、次のようにして組立てることができる。
【００５３】
まず、図３に示したように、パネル構造物１０の設置場所の地面に束部材２１を設置し、地面の起伏に応じて束部材２１の長さを個々に調節し、支持部材２２で連結することによって、基礎２０を形成する。
【００５４】
基礎２０を形成した後、図８に示したように、梁状部材３１と連結部材３２とを組み合わせて、基礎２０の上に床枠３０を配設する。
【００５５】
床枠３０を配設した後、図２２に示したように、床パネル７１の端部を床枠３０に係止させて敷き詰めて床７０を形成し、仕上げ材７２で被覆する。
【００５６】
続いて、図１７および図１８に示したように、間柱６２を空腔部６８に収容して下部取付金具６２Ｂを床枠３０に固定し、壁６０を形成する。このとき、テラス窓パネル６１Ｂ，窓サッシパネル６１Ｃ，貫通枠パネル６１Ｄを用いて、テラス窓６３Ｂ，窓サッシ６３Ｃ，出入り口枠６１Ｄ，遮蔽部材６４などの建具も同時に配設する。
【００５７】
壁６０を形成した後、図１９および図２１に示したように、壁パネル６１の頂部に壁頭上カバー８４を配設して、壁パネル固定部８４Ａに間柱６２の上部取付金具６２Ａを固定し、天井板固定部８４Ｂに天井板８１Ａを取り付け、更に鼻隠し取付ステー８４Ｃに鼻隠し８５を取り付ける。
【００５８】
次に、図２３に示したように、天井板８１Ａの小屋組ステー８１Ｃを用いて小屋組み８２を設け、図２４に示したように屋根天板８１Ｂを取り付ける。こうして室４０が形成される。
【００５９】
最後に、図２に示したように出入り口枠６３Ｄと母屋ＭＢの掃き出し窓ＭＷとの間に通路５０を設ける。以上により、図１および図２に示したパネル構造物１０が完成する。
【００６０】
また、このパネル構造物１０は、次のようにして解体することができる。
【００６１】
まず、通路５０を除去する。また、屋根天板８１Ｂを個々に外し（図２４参照）、小屋組み８２を解体する（図２３参照）。
【００６２】
次に、鼻隠し８５を壁頭上カバー８４の鼻隠し取付ステー８４Ｃから取り外し、天井板８１Ａを壁頭上カバー８４の天井板固定部８４Ｂから取り外し、間柱６２の上部取付金具６２Ａを壁頭上カバー８４の壁パネル固定部８４Ａから取り外す（図１９および図２１参照）。
【００６３】
続いて、間柱６２の下部取付金具６２Ｂを床枠３０から取り外して壁パネル６１を１枚ずつ取り外し、壁６０を解体する。このとき、テラス窓６３Ｂ，窓サッシ６３Ｃ，出入り口枠６１Ｄ，遮蔽部材６４などの建具は同時に解体して、テラス窓パネル６１Ｂ，窓サッシパネル６１Ｃ，貫通枠パネル６１Ｄおよび遮蔽部材６４とする（図１７および図１８参照）。
【００６４】
壁６０を解体した後、仕上げ材７２を除去し、床パネル７１を取り外して床７０を解体する（図２２参照）。こうして室４０が解体される。
【００６５】
室４０を解体した後、床枠３０を梁状部材３１と連結部材３２とに解体する（図８参照）。
【００６６】
床枠３０を解体した後、支持部材２２を取り外し、束部材２１を片付けて、基礎２０を解体する（図３参照）。
【００６７】
さらに、解体されたパネル構造物１０は、上述した組立方法によって再び組立てることができる。これにより、不用になった室を解体して別の場所において組立てて再利用することが可能となり、資源の浪費が防止され、一時的な使用目的にも対応できる。
【００６８】
このように本実施の形態では、束部材２１の長さが、設置場所の地面の起伏に応じて個々に調節可能であるので、設置場所の地面に起伏があっても束部材２１の各々の長さを調節することによってレベルを合わせて基礎２０を形成することができる。よって、基礎工事の際に地面の掘削などは不要であり、作業時間が著しく短縮される。
【００６９】
特に、束部材２１の長さを、室４０の床７０と母屋ＭＢの床とが同一レベルの高さになるように調節すれば、室４０を介護目的で使用する場合に室４０と母屋ＭＢとを平坦な廊下である通路５０で接続し、バリアフリー設計の室４０を容易に実現することができる。
【００７０】
さらに、壁パネル６１、床パネル７１および屋根パネル８１の１枚あたりの重量は、６０ｋｇ以下であるので、パネルを一人ないし二人の作業者で持ち運ぶことが可能となり、クレーンを使用しなくても安全に素早く組立てることができる。
【００７１】
また、壁６０は、断面矩形の間柱６２と、この間柱６２を壁６０の表面に露出しないように収容する空腔部６８とを有するので、壁６０の凹凸がなくなり、平坦性が高まる。
【００７２】
加えて、特に、壁６０は、テラス窓６３Ｂ，窓サッシ６３Ｃ，出入り口枠６３Ｄなどの建具を備え、これらの建具は、壁パネル６１にテラス窓６３Ｂが造り込まれたテラス窓パネル６１Ｂ，壁パネル６１に窓サッシ６３Ｃが造り込まれた窓サッシパネル６１Ｃ，出入り口枠６３Ｄが造り込まれた貫通枠パネル６１Ｄとして構成されているので、テラス窓パネル６１Ｂ，窓サッシパネル６１Ｃ，貫通枠パネル６１Ｄを予め工場製作し、壁６０を形成するのと同時にテラス窓６３Ｂ，窓サッシ６３Ｃ，出入り口枠６３Ｄなどの建具も取り付けることができ、現場での作業時間が短縮される。
【００７３】
また、特に、壁パネル６１は、室４０内側の表面に凹みが生じるのを防止する補強部６５と、室４０内側の表面に手摺を固定するための部品固定穴６６と、この部品固定穴６６を被覆する被覆部材６７とを備えたので、補強部６５により、例えば、介護目的で室４０を使用する場合に、車椅子などを壁６０に接触させることなどによって壁パネル６１の室４０内側の表面に凹みが生じることが防止される。また、部品固定穴６６に必要に応じて手摺を固定することができる。使用されていない部品固定穴６６は被覆部材６７により被覆されているので、部品固定穴６６に誤って指などを入れて怪我をするおそれがなく、安全である。
【００７４】
さらに、床枠３０は、梁状部材３１と、梁状部材３１を連結する連結部材３２とを組み合わせた構成を有し、梁状部材３１および連結部材３２は、床パネル７１の端部を係止すると共に壁パネル６１の端部を係止するガイド板３７を有するので、梁状部材３１および連結部材３２を組み合わせて、床枠３０の全体寸法および室４０の間取りを、設置場所に応じて決定することができる。また、ガイド板３７に壁パネル６１の端部を係止させて並べ、床パネル７１の端部をガイド板３７に係止させて敷き詰めることによって、壁６０および床７０を効率よく形成することができる。
【００７５】
また、通路５０は、母屋ＭＢの掃き出し窓ＭＷに接続されているので、母屋ＭＢの壁に開口部を設けるなどの工事は一切不要であり、作業が簡単になる。
【００７６】
［第２の実施の形態］
図２５は、本発明の第２の実施の形態に係るパネル構造物の平面構造の一例を表している。このパネル構造物１０Ａは、第１の実施の形態で説明した室４０に洗面室１００が接続されていることおよび室４０の間取りおよび建具の配置が異なることを除いては、第１の実施の形態で説明したパネル構造物１０と同一である。したがって、同一の構成要素には同一の符号を付して、その詳細な説明を省略する。
【００７７】
洗面室１００は、洗面台１１０を有しており、貫通枠パネル６１Ｄを介して室４０に接続されている。また、パネル構造物１０Ａの室４０および洗面室１００は、全体として平面形状が矩形となるように接続されているようにすることが望ましい。室４０および洗面室１００がＬ字形に接続されていると、小屋組み８２および屋根天板８１Ｂの形状が複雑になるからである。
【００７８】
洗面室１００は、また、洗面室床１２０と、この洗面室床１２０の上に配設された便器１３０とを備えている。洗面台１１０および便器１３０の左右勝手は、変更可能であり、図２５に示したような右勝手にすることも、図２６に示したような左勝手にすることも両方可能となっている。また、図２７に示したように、便器１３０を設けず、ポータブルトイレ（図示せず）を利用するようにすることも可能である。
【００７９】
図２８は、洗面室１００専用の洗面室床枠１４０の構成を表している。床枠１４０は、梁状部材１４１と、連結部材１４２とが一体化されており、ブレース１４３で補強されている。また、梁状部材１４１および連結部材１４２には、室４０の床枠３０を接続するための本体接続用受け部１４４が設けられている。
【００８０】
図２９（Ａ）は、洗面室床１２０の構成を表す平面図であり、図２９（Ｂ）はその側面図である。洗面室床１２０は、１枚の洗面室床パネル１２１を有している。洗面室床パネル１２１は、例えば、厚さ５０ｍｍのウレタン断熱パネルにより構成され、洗面室１２０内側の表面はベニヤ板および防滑性ビニル床シートで被覆され、地面側の表面は鋼鈑で被覆されている。洗面室床パネル１２１には、排水、給水および給湯のための洗面室配管１２２が事前に組み込まれ、給水および給湯は保温対策が施されている。洗面室配管１２２は、サドルバンド１２３によって数カ所固定されている。
【００８１】
図３０は、洗面室１００の断面構造を概略的に表している。洗面室床１２０の下には、便器１３０からの汚物を収容する汚物槽１３２が配設されている。便器１３０と汚物槽１３２との間には、簡易水栓１３１が設けられている。この汚物槽１３２を設けることによって、トイレ用の下水工事が不要となり、作業時間を短縮することができる。
【００８２】
このように本実施の形態では、洗面室１００が、洗面室床１２０の下に配設されると共に便器１３０からの汚物を収容する汚物槽１３２を備えたので、トイレ用の下水工事が不要となり、作業時間を短縮することができる。
【００８３】
［第３の実施の形態］
図３１は、本発明の第３の実施の形態に係るパネル構造物の平面構造の一例を表している。このパネル構造物１０Ｂは、第１の実施の形態で説明した室４０に浴室２００が接続されていることを除いては、第２の実施の形態で説明したパネル構造物１０Ａと同一である。したがって、同一の構成要素には同一の符号を付して、その詳細な説明を省略する。
【００８４】
浴室２００は、ユニットバス２１０を有しており、貫通枠パネル６１Ｄを介して室４０に接続されている。また、パネル構造物１０Ａの室４０および浴室２００は、全体として平面形状が矩形となるように接続されているようにすることが望ましい。室４０および浴室２００がＬ字形に接続されていると、小屋組み８２および屋根天板８１Ｂの形状が複雑になるからである。
【００８５】
浴室２００は、また、ユニットバス２１０を載置する防水床２２０と、この防水床２２０の一部に形成された桟状部材２３０とを備えている。防水床２２０は、例えば、洗面室床１２０と同様の構成を有している。桟状部材２３０には、ユニットバス２１０から引き出された排水ホース２４０の先端部が挿入されている。これにより、ユニットバス２１０の浴槽にお湯を入れる前にユニットバス２１０を防水床２２０の上で移動し、排水ホース２４０を桟状部材２３０に差し込んでユニットバス２１０からの排水を家庭用雑排水の桝に流すことができる。したがって、ユニットバス２１０の位置を浴室内で自由に変更することができ、例えば図３２に示したようにユニットバス２１０を浴室２００の端の方に寄せて配置し、介護者が余裕をもって動けるようにすることなども可能である。
【００８６】
このように本実施の形態では、浴室２００は、また、ユニットバス２１０を載置する防水床２２０と、この防水床２２０の一部に形成されると共にユニットバス２１０から引き出された排水ホース２４０の先端部を挿入する桟状部材２３０を備えたので、ユニットバス２１０の位置を浴室内で自由に変更することができ、例えばユニットバス２１０を浴室２００の端の方に寄せて配置し、介護者が余裕をもって動けるようにすることなども可能である。
【００８７】
［変形例１］
図３３および図３４は、壁パネルの変形例である室内洗面台対応パネルを表している。この室内洗面台対応パネル６１Ｅは、室４０内に室内洗面台３００および収納棚３１０を容易に配設することを可能とするものであり、壁パネル６１に、室内洗面台への給水、給湯および排水を行うエルボ管３２０が形成された構成を有している。また、室内洗面台対応パネル６１Ｅには、室内洗面台３００および収納棚３１０を取り付けるための取付フレーム３３０と、取付穴３４０とが設けられている。
【００８８】
本変形例では、室内洗面台対応パネル６１Ｅに室内洗面台３００を取り付け、便器については市販のポータブルトイレを用いるようにすることができ、設置場所が狭いため室４０に洗面室１００を接続する場所的余裕がない場合などに便利である。
【００８９】
［変形例２］
図３５および図３６は、壁パネルの他の変形例である空気調整設備対応パネルを表している。この空気調整設備対応パネル６１Ｆは、室４０内に空気調整設備４００を容易に配設することを可能とするものであり、壁パネル６１に、室内機４１０と室外機４２０とを接続するパイプ４３０を貫通させる貫通孔４４０が形成された構成を有している。この貫通孔４４０は、パイプ４３０を壁パネル６１を貫通するように嵌め込み可能な切り欠き部４４１と、パイプ４３０が嵌め込まれた切り欠き部４４１を封止する封止片４４２とを有している。
【００９０】
本変形例では、パイプ４３０を切り欠き部４４１に嵌め込み、封止片で封止するだけでよいので、空気調整設備の設置工事が簡単になる。
【００９１】
以上、実施の形態を挙げて本発明を説明したが、本発明は上記実施の形態に限定されるものではなく、種々変形が可能である。例えば、上記第１の実施の形態においては、室４０と母屋ＭＢとを通路５０で接続するようにしたが、通路５０は、室４０を保存したまま除去可能とすることもできる。
【００９２】
また、上記第１の実施の形態で説明した間柱６２および空腔部６８の構造、ならびにこの間柱６２による壁６０の接合は、例えば事務所用のパーテーションなどにも適用可能である。
【００９３】
また、上記第２の実施の形態および第３の実施の形態を合わせて、室４０に洗面室１００および浴室２００の両方を接続するようにしてもよい。その場合、洗面室１００と浴室２００とは、貫通枠パネル６１Ｄを介して接続することが可能である。さらに、室４０を設けないで直接母屋ＭＢに洗面室１００または浴室２００、またはその両方を接続することも可能である。
【００９４】
加えて、上記実施の形態では、パネル構造物１０の使用目的を例えば介護目的として説明したが、パネル構造物１０は、書斎、勉強部屋、通常の居室、物置、納屋、サンルーム、園芸などの温室、茶室、写真用の暗室など、種々の用途に用いられうる。また、個人的ないし家庭的用途だけでなく、事業用途にも適用できるものである。
【００９５】
更に、上記実施の形態では、パネル構造物を母屋ＭＢの外に設置して通路５０で接続するようにしたが、パネル構造物の全部または一部（例えば床枠３０および室４０のみ）を、母屋ＭＢの中に設置することも可能である。この場合、パネル構造物１０は、例えば室内売店、イベント会場、演劇またはテレビ番組撮影のための大道具などに適用可能である。更に、壁パネル６１、床パネル７１および天井板８１Ａに防音機能を付与し、放送収録室または楽器練習室などとして利用することも可能である。
【００９６】
【発明の効果】
以上説明したように請求項１ないし請求項２０のいずれか１項に記載のパネル構造物によれば、複数の束部材の長さが、設置場所の地面の起伏に応じて個々に調節可能であるので、設置場所の地面に起伏があっても束部材の各々の長さを調節することによってレベルを合わせて基礎を形成することができる。よって、基礎工事の際に地面の掘削などは不要であり、作業時間が著しく短縮される。
【００９７】
特に、請求項２記載のパネル構造物によれば、複数の束部材の長さは、室の床と母屋の床とが同一レベルの高さになるように調節されるので、室を介護目的で使用する場合に室と母屋とを平坦な廊下である通路で接続し、バリアフリー設計の室を容易に実現することができる。
【００９８】
加えて、特に、請求項３記載のパネル構造物によれば、壁パネル、床パネルおよび屋根パネルの１枚あたりの重量は、６０ｋｇ以下であるので、パネルを一人ないし二人の作業者で持ち運ぶことが可能となり、クレーンを使用しなくても安全に素早く組立てることができる。
【００９９】
また、特に、請求項４または請求項５記載のパネル構造物によれば、壁は、断面矩形の間柱と、この間柱を壁の表面に露出しないように収容する空腔部とを有するので、壁の凹凸がなくなり、平坦性が高まる。。
【０１００】
特に、請求項６記載のパネル構造物によれば、壁は、建具を備え、建具は、壁パネルに建具が造り込まれた建具パネルとして構成されているので、予め建具パネルを工場製作し、壁を形成するのと同時に建具も取り付けることができ、現場での作業時間が短縮される。
【０１０１】
さらに、請求項１１記載のパネル構造物によれば、浴室は、ユニットバスを載置する防水床と、この防水床の一部に形成されると共にユニットバスから引き出された排水ホースの先端部を挿入する桟状部材とを備えるので、ユニットバスの位置を浴室内で自由に変更することができ、例えば介護者が浴室内で余裕をもって動けるようにユニットバスを浴室の隅に寄せて配置することなども可能である。
【０１０２】
また、特に、請求項１３記載のパネル構造物によれば、洗面室は、洗面室床と、この洗面室床の上に配設された便器と、洗面室床の下に配設されると共に便器からの汚物を収容する汚物槽とを備えるので、トイレ用の下水工事が不要となり、作業時間を短縮することができる。
【０１０３】
加えて、特に、請求項１４記載のパネル構造物によれば、壁は、室に配設される設備が取り付けられる取付部を有し、取付部は、壁パネルに取付部が形成された設備対応パネルとして構成されているので、設備対応パネルを予め工場製作し、現場では設備対応パネルの取付部を用いて設備を取り付けるだけでよいので、設備の取付作業が簡単になる。
【０１０４】
特に、請求項１５記載のパネル構造物によれば、設備対応パネルは、壁パネルに空気調整設備の室内機と室外機とを接続するパイプを貫通させる貫通孔が形成された空気調整設備対応パネルであり、貫通孔は、パイプを壁パネルを貫通するように嵌め込み可能な切り欠き部と、パイプが嵌め込まれた切り欠き部を封止する封止片とを有するので、空気調整設備対応パネルを予め工場製作し、現場ではパイプを切り欠き部に嵌め込み、封止片で封止するだけでよく、空気調整設備の設置工事が簡単になる。
【０１０５】
また、請求項１６記載のパネル構造物によれば、設備対応パネルは、壁パネルに室内洗面台への給水、給湯および排水を行うエルボ管が設けられた室内洗面台対応パネルであるので、室内洗面台対応パネルに室内洗面台を取り付け、便器については市販のポータブルトイレを用いるようにすれば、設置場所が狭いため室に洗面室を接続する場所的余裕がない場合などに便利である。
【０１０６】
さらに、請求項１７記載のパネル構造物によれば、壁パネルは、室内側表面に凹みが生じるのを防止する補強部と、室内側表面に手摺を固定するための部品固定穴と、この部品固定穴を被覆する被覆部材とを備えたので、補強部により、例えば、介護目的で室を使用する場合に、車椅子などを壁に接触させることなどによって壁パネルの室内側の表面に凹みが生じることが防止される。また、部品固定穴に必要に応じて手摺を固定することができる。使用されていない部品固定穴は被覆部材により被覆されているので、部品固定穴に誤って指などを入れて怪我をするおそれがなく、安全である。
【０１０７】
また、特に、請求項１８記載のパネル構造物によれば、床枠は、複数の梁状部材と、この複数の梁状部材を連結する連結部材とを組み合わせた構成を有し、梁状部材および連結部材は、床パネルの端部を係止すると共に壁パネルの端部を係止するガイド板を有するので、梁状部材および連結部材を組み合わせて、床枠の全体寸法および室の間取りを、設置場所に応じて決定することができる。また、ガイド板に壁パネルの端部を係止させて並べ、床パネルの端部をガイド板に係止させて敷き詰めることによって、壁および床を効率よく形成することができる。
【０１０８】
加えて、特に、請求項１９によれば、通路は、母屋の掃き出し窓に接続されているので、母屋の壁に開口部を設けるなどの工事は一切不要であり、作業が簡単になる。
【図面の簡単な説明】
【図１】本発明の第１の実施の形態に係るパネル構造物の外観の一例を概略的に表す斜視図である。
【図２】図１に示したパネル構造物の概略構造を表す平面図である。
【図３】図１に示したパネル構造物の基礎を表す斜視図である。
【図４】図３に示した基礎の変形例を表す斜視図である。
【図５】図３に示した基礎の他の変形例を表す斜視図である。
【図６】図６（Ａ）は図１に示した束部材の構成を表す斜視図であり、図６（Ｂ）は束部材の分解斜視図である。
【図７】図１に示したパネル構造物の床枠を表す斜視図である。
【図８】図７に示した床枠を基礎の上に配設した状態を表す斜視図である。
【図９】図７に示した床枠の変形例を表す斜視図である。
【図１０】図７に示した床枠の他の変形例を表す斜視図である。
【図１１】図７に示した梁状部材を室の外側から見た構成を表す側面図である。
【図１２】図１１の梁状部材を矢印ＸＩＩ方向から見た構成を表す側面図である。
【図１３】図７に示したコーナー連結部材の構成を表す平面図である。
【図１４】図７に示したユニット連結部材の構成を表す平面図である。
【図１５】図１に示した壁パネルを室の内側から見た構成を表す正面図である。
【図１６】図２に示した間柱の構成を、一部を切り欠いて表したものであり、図１６（Ａ）は正面図、図１６（Ｂ）は側面図である。
【図１７】図１に示した壁の断面構造を表す一部拡大断面図である。
【図１８】図１７のＸＶＩＩＩ−ＸＶＩＩＩ線に沿った断面図である。
【図１９】図１に示した天井板およびその取付状態を表す斜視図である。
【図２０】図１９に示した壁頭上カバーの構成を表す斜視図である。
【図２１】図２０に示した壁頭上カバーによる天井板の取付状態を表す断面図である。
【図２２】図１に示したパネル構造物の組立工程を説明するための図であり、床を形成した状態を表す斜視図である。
【図２３】図１に示したパネル構造物の組立工程を説明するための図であり、天井板に小屋組みを設けた状態を表す斜視図である。
【図２４】図１に示したパネル構造物の組立工程を説明するための図であり、屋根天板を取り付けた状態を表す斜視図である。
【図２５】本発明の第２の実施の形態に係るパネル構造物の概略構造の一例を表す平面図である。
【図２６】図２５に示した洗面室における洗面台および便器の左右勝手の変形例を表す平面図である。
【図２７】図２５に示した洗面室における洗面台および便器の左右勝手の他の変形例を表す平面図である。
【図２８】図２５に示した洗面室の洗面室床枠の構成を表す平面図である。
【図２９】図２５に示した洗面室床の構成を表し、図２９（Ａ）は平面図、図２９（Ｂ）は側面図である。
【図３０】図２５に示した洗面室の概略構造を表す断面図である。
【図３１】本発明の第３の実施の形態に係るパネル構造物の概略構造の一例を表す平面図である。
【図３２】図３１に示した浴室におけるユニットバスの位置を変更した例を表す平面図である。
【図３３】本発明の変形例１に係る室内洗面台対応パネルの構成を表す正面図である。
【図３４】図３３に示した室内洗面台対応パネルの側面図である。
【図３５】本発明の変形例２に係る空気調整設備対応パネルの構成を表す正面図である。
【図３６】図３５に示した貫通孔の構成を表す正面図である。
【符号の説明】
１０，１０Ａ…パネル構造物、２０…基礎、２１…束部材、２１Ａ…上側さや部材、２１Ｂ…地面側さや部材、２１Ｃ…フレキシブルレベラー、２２…支持部材、２３…基礎ユニット、２４…拡張基礎ユニット、３０…床枠、３１，３１Ａ…梁状部材、３１Ｂ…根太取付部、３２…連結部材、３２Ａ…コーナー連結部材、３２Ｂ…ユニット連結部材、３３…床枠ユニット、３４，３４Ａ…根太、３５，３５Ａ…ブレース、３６…拡張床枠ユニット、３７…ガイド板、３８…受け部、４０…室、５０…通路、６０…壁、６１…壁パネル、６１Ａ…コーナーパネル、６１Ｂ…テラス窓パネル、６１Ｃ…窓サッシパネル、６１Ｄ…貫通枠パネル、６１Ｅ…室内洗面台対応パネル、６１Ｆ…空気調整設備対応パネル、６２…間柱、６２Ａ…上部取付金具、６２Ｂ…下部取付金具、６３Ｂ…テラス窓、６３Ｃ…窓サッシ、６３Ｄ…出入り口枠、６４…遮蔽部材、６５…補強部、６６…部品固定穴、６７…被覆部材、６８…空腔部、６８Ａ…半空腔部、６９Ｃ…サイドフレーム７０…床、７１…床パネル、７２…仕上げ材、８０…屋根、８１…屋根パネル、８１Ａ…天井板、８１Ｂ…屋根天板、８１Ｃ…小屋組ステー、８２…小屋組み、８３…軒裏、８４…壁頭上カバー、８４Ａ…壁パネル固定部、８４Ｂ…天井板固定部、８４Ｃ…鼻隠し取付ステー、８５…鼻隠し、１００…洗面室、１１０…洗面台、１２０…洗面室床、１２１…洗面室床パネル、１２２…洗面室配管、１２３…サドルバンド、１３０…便器、１３１…簡易水栓、１３２…汚物槽、１４０…洗面室床枠、１４１…梁状部材、１４２…連結部材、１４３…ブレース、１４４…本体接続用受け部、２００…浴室、２１０…ユニットバス、２２０…防水床、２３０…桟状部材、２４０…排水ホース、３００…室内洗面台、３１０…収納棚、３２０…エルボ管、３３０…取付フレーム、３４０…取付穴、４００…空気調整設備、４１０…室内機、４２０…室外機、４３０…パイプ、４４０…貫通孔、４４１…切り欠き部、４４２…封止片、ＭＢ…母屋、ＭＷ…掃き出し窓
【図１】
2004156221.tif 000003
【図２】
2004156221.tif 000004
【図３】
2004156221.tif 000005
【図４】
2004156221.tif 000006
【図５】
2004156221.tif 000007
【図６】
2004156221.tif 000008
【図７】
2004156221.tif 000009
【図８】
2004156221.tif 000010
【図９】
2004156221.tif 000011
【図１０】
2004156221.tif 000012
【図１１】
2004156221.tif 000013
【図１２】
2004156221.tif 000014
【図１３】
2004156221.tif 000015
【図１４】
2004156221.tif 000016
【図１５】
2004156221.tif 000017
【図１６】
2004156221.tif 000018
【図１７】
2004156221.tif 000019
【図１８】
2004156221.tif 000020
【図１９】
2004156221.tif 000021
【図２０】
2004156221.tif 000022
【図２１】
2004156221.tif 000023
【図２２】
2004156221.tif 000024
【図２３】
2004156221.tif 000025
【図２４】
2004156221.tif 000026
【図２５】
2004156221.tif 000027
【図２６】
2004156221.tif 000028
【図２７】
2004156221.tif 000029
【図２８】
2004156221.tif 000030
【図２９】
2004156221.tif 000031
【図３０】
2004156221.tif 000032
【図３１】
2004156221.tif 000033
【図３２】
2004156221.tif 000034
【図３３】
2004156221.tif 000035
【図３４】
2004156221.tif 000036
【図３５】
2004156221.tif 000037
【図３６】
2004156221.tif 000038